(57)【特許請求の範囲】
【請求項１】
ワイパブレードを支持するリテーナのバンディング部の一側に結合されるノズルカバーと、
前記リテーナの内部で長手方向に沿って延びて前記ノズルカバーの内部に位置し、ウォッシャ液貯蔵タンクに連結されるホースモジュールと、
前記ノズルカバーの内部で前記ホースモジュールに連結され、複数の噴射口が前記ノズルカバーの外側に露出するように形成され、前記ウォッシャ液貯蔵タンクから供給されたウォッシャ液を前記噴射口を介して飛散噴射されるように備えられるメインノズルと、
前記メインノズルに形成されたヒーティング領域に設けられ、前記噴射口に向けて熱を伝達するヒータモジュールと、
を含むことを特徴とするウォッシャ一体型ワイパ装置。
【請求項２】
前記メインノズルは、
前記ノズルカバーの外側に露出するように配置され、露出した下部面には前記噴射口が備えられ、上部面には前記ヒーティング領域が形成される噴射部と、
前記ヒーティング領域に設けられた前記ヒータモジュールの設置経路をガイドし、前記ノズルカバーのバンディング方向と同一の方向にバンディングされて形成されるヒータモジュール設置部と、
前記ヒータモジュール設置部と離隔して配置され、前記ホースモジュールと一体型に連結されて前記噴射口に向けてウォッシャ液を供給するウォッシャ液供給部とを備えることを特徴とする請求項１に記載のウォッシャ一体型ワイパ装置。
【請求項３】
前記メインノズルは、
前記噴射口に対して下向き傾斜して形成された前記ウォッシャ液供給部に設けられ、前記噴射口に移動するウォッシャ液の供給を選択的に遮断するチェックバルブをさらに備えることを特徴とする請求項２に記載のウォッシャ一体型ワイパ装置。
【請求項４】
前記ヒータモジュールは、
前記ヒータモジュール設置部に設けられ、ウォッシャ液の移動経路上の水密確保のために設けられる水密カバーを備えることを特徴とする請求項２に記載のウォッシャ一体型ワイパ装置。
【請求項５】
前記水密カバーには、
前記ヒータモジュールに連結された＋、−端子が挿入され、端子の位置固定および端子に対する水密が確保されるように外周面に一対の端子ガイド溝が形成されることを特徴とする請求項４に記載のウォッシャ一体型ワイパ装置。
【請求項６】
前記メインノズルは、
前記ノズルカバーに設けられた締結溝に対応するように突出部材を備え、前記突出部材が前記締結溝に挿入結合されて前記ノズルカバーの内部で位置固定されることを特徴とする請求項１に記載のウォッシャ一体型ワイパ装置。
【請求項７】
前記ノズルカバーは、
前記ホースモジュールと前記メインノズルを取り囲むように内部に樹脂が充填されて形成されることを特徴とする請求項１に記載のウォッシャ一体型ワイパ装置。
【請求項８】
前記ノズルカバーは、
前記リテーナのバンディング部の外周面と同一面をなして結合されることを特徴とする請求項１に記載のウォッシャ一体型ワイパ装置。
【発明の詳細な説明】
【技術分野】
【０００１】
本発明は、ウォッシャ一体型ワイパ装置に係り、より詳しくは、ウインドガラスに噴射されるウォッシャ液をワイパブレードの作動領域内で適切に噴射できるようにするウォッシャ一体型ワイパ装置に関する。
【背景技術】
【０００２】
一般的に、自動車のウインドシールドガラス（Ｗｉｎｄ  ｓｈｉｅｌｄ  ｇｌａｓｓ）には、運転者の視界確保のためにワイパが設けられており、このようなワイパは、往復移動によりウインドシールドガラス表面の水分や異物を除去して、運転者の視界確保を可能にする。
このために、自動車のカウルトップカバーおよびフード（ｈｏｏｄ）には、ウォッシャ液噴射装置が設けられており、ウォッシャ液噴射装置は、フードの内部に位置するウォッシャ液貯蔵タンクに貯蔵されたウォッシャ液をポンプで送り、ノズルからウインドシールドガラスに噴射する。
しかし、ウォッシャ液噴射装置は、例えば、自動車のフロントウィンドウに付着した泥水またはその他汚物を洗浄するためにウォッシャ液を噴射させる場合、ウォッシャ液の噴射時期とワイパアームの作動時期が正確に一致せず、ウォッシャ液の損失が多くなることがある。
【０００３】
そして、ウォッシャ液噴射装置は、自動車のカウルトップカバーおよびフードに固定設置されるため、ウォッシャ液の噴射される部位とワイパアームの作動部位が互いに異なり、効率的な洗浄作業が行われにくいことがある。
また、走行中にフロントウィンドウに付着した泥水またはその他汚物を洗浄するためにウォッシャ液噴射装置からウォッシャ液を噴射させる場合、ウォッシャ液が風によって自動車のルーフ上に越えてしまうことがあり、それによって、異物の付着したフロントウィンドウの適切な位置に洗浄液が到達しないことがある。
【先行技術文献】
【特許文献】
【０００４】
【特許文献１】大韓民国公開特許公報第１０−２００９−００５２４１７号
【発明の概要】
【発明が解決しようとする課題】
【０００５】
本発明の目的は、ウォッシャ噴射ノズルをワイパアームのリテーナのバンディング部に設けることで、ウインドガラスに噴射されるウォッシャ液をワイパブレードの作動領域内で適切に噴射できるようにするウォッシャ一体型ワイパ装置を提供することにある。
【課題を解決するための手段】
【０００６】
本発明に係るウォッシャ一体型ワイパ装置は、ワイパブレードを支持するリテーナのバンディング部の一側に結合されるノズルカバーと、前記リテーナの内部で長手方向に沿って延びて前記ノズルカバーの内部に位置し、ウォッシャ液貯蔵タンクに連結されるホースモジュールと、前記ノズルカバーの内部で前記ホースモジュールに連結され、複数の噴射口が前記ノズルカバーの外側に露出するように形成され、前記ウォッシャ液貯蔵タンクから供給されたウォッシャ液を前記噴射口を介して飛散噴射されるように備えられるメインノズルと、前記メインノズルに形成されたヒーティング領域に設けられ、前記噴射口に向けて熱を伝達するヒータモジュールと、を含むことを特徴とする。
【０００７】
前記メインノズルは、前記ノズルカバーの外側に露出するように配置され、露出した下部面には前記噴射口が備えられ、上部面には前記ヒーティング領域が形成される噴射部と、前記ヒーティング領域に設けられた前記ヒータモジュールの設置経路をガイドし、前記ノズルカバーのバンディング方向と同一の方向にバンディングされて形成されるヒータモジュール設置部と、前記ヒータモジュール設置部と離隔して配置され、前記ホースモジュールと一体連結されて前記噴射口に向けてウォッシャ液を供給するウォッシャ液供給部とを備えることを特徴とする。
【０００８】
前記メインノズルは、前記噴射口に対して下向きに傾斜して形成された前記ウォッシャ液供給部に設けられ、前記噴射口に移動するウォッシャ液の供給を選択的に遮断するチェックバルブをさらに備えることを特徴とする。
【０００９】
前記ヒータモジュールは、前記ヒータモジュール設置部に設けられ、ウォッシャ液の移動経路上の水密確保のために設けられる水密カバーを備えることを特徴とする。
【００１０】
前記水密カバーには、前記ヒータモジュールに連結された＋、−端子が挿入され、端子の位置固定および端子に対する水密が確保されるように外周面に一対の端子ガイド溝が形成されることを特徴とする。
【００１１】
前記メインノズルは、前記ノズルカバーに設けられた締結溝に対応するように突出部材を備え、前記突出部材が前記締結溝に挿入結合されて前記ノズルカバーの内部で位置固定されることを特徴とする。
【００１２】
前記ノズルカバーは、前記ホースモジュールと前記メインノズルを取り囲むように内部に樹脂が充填されて形成されることを特徴とする。
【００１３】
前記ノズルカバーは、前記リテーナのバンディング部の外周面と同一面をなして結合されることを特徴とする。
【発明の効果】
【００１４】
本発明によれば、ウォッシャ噴射ノズルをワイパアームのリテーナのバンディング部に設けることで、ウインドガラスに噴射されるウォッシャ液をワイパブレードの作動領域内で適切に噴射できる効果を有する。
そして、本発明は、ウォッシャ液の噴射される噴射口と隣接した位置にヒータモジュールを設けることで、冬季にメインノズルに沿って噴射口に移動するウォッシャ液の結氷を防止することができる効果を有する。
また、本発明は、ノズルカバーがリテーナのバンディング部の一側に設けられる際に、段差が削除された構造を有するようにすることで、外観およびウインドノイズの発生を最小化することができる効果を有する。
【図面の簡単な説明】
【００１５】
【図１】本発明の一実施形態に係るウォッシャ一体型ワイパ装置を概略的に示す図である。
【図２】本発明の一実施形態に係るウォッシャ一体型ワイパ装置の構造を示す図である。
【図３】本発明の一実施形態に係るウォッシャ一体型ワイパ装置のメインノズルを示す図である。
【図４】本発明の一実施形態に係るウォッシャ一体型ワイパ装置のヒータモジュールを示す図である。
【図５】本発明の一実施形態に係るウォッシャ一体型ワイパ装置のチェックバルブを示す図である。
【図６】本発明の一実施形態に係るウォッシャ一体型ワイパ装置の水密カバーを示す図である。
【図７】本発明の他の実施形態に係るウォッシャ一体型ワイパ装置のメインノズルの位置固定を示すための、図１のＩ−Ｉ’に対する断面図である。
【発明を実施するための形態】
【００１６】
以下、添付した図面を参照しながら、本発明に係る好ましい実施形態を詳細に説明する。
図１は、本発明の一実施形態に係るウォッシャ一体型ワイパ装置を概略的に示す図であり、図２は、ウォッシャ一体型ワイパ装置の構造を示す図である。
図１に示すように、ウォッシャ一体型ワイパ装置は、ノズルカバー１００と、ホースモジュール２００と、メインノズル３００と、ヒータモジュール４００とを含む。
ノズルカバー１００は、フロントウィンドウを移動して異物を除去するように設けられたワイパブレード１を支持するリテーナ１０のバンディング部２０の一側に結合される。
すなわち、ブレードアームを構成するリテーナ１０は、ワイパブレード１と結合される一端部が長手方向に沿ってＺ字形状を有して折り曲げられて形成されるが、ここで、リテーナ１０のバンディング部２０は、リテーナ１０の一端部でワイパブレード１との結合のために所定の傾斜を有して「逆Ｌ」字形状に形成される。
【００１７】
ノズルカバー１００は、リテーナ１０のバンディング部２０の一側において、前記のようなバンディング部２０の形状と同一の形状を有して結合され、図１に示すように、一端部がリテーナ１０の外周面を取り囲んで結合される。
ここで、ノズルカバー１００は、リテーナ１０のバンディング部２０に対して一体感のある形状に形成できるようにリテーナ１０のバンディング部２０の外周面と同一面をなして結合されることが好ましく、それによって、ワイパの外観が向上されるとともに、段差の削除を通じてウインドノイズの発生を最小化することもできる。
このようなノズルカバー１００の内部には、ホースモジュール２００とメインノズル３００とが連結された構造を除いた残りの領域にプラスチックのような合成樹脂（ｒｅｓｉｎ）が充填されてもよい。これは、ホースモジュール２００とメインノズル３００に対する形状保存の役割、およびヒータモジュール４００のような電気部品のシーリングの役割を果たせるようにするためである。
【００１８】
一方、図２に示すように、ホースモジュール２００は、リテーナ１０の内部で長手方向に沿って延びて一端部がノズルカバー１００の内部に位置し、図示しないが、他端部はウォッシャ液貯蔵タンクに連結される。
ホースモジュール２００は、ノズルカバー１００の内部でメインノズル３００に連結され、それによって、ウォッシャ液貯蔵タンクに貯蔵されたウォッシャ液がポンプ（図示せず）を介して所定の圧力を有してメインノズル３００に供給されるようにすることで、メインノズル３００に設けられた噴射口３１０を介してウォッシャ液がフロントウィンドウに飛散噴射できるようにする。
メインノズル３００は、ノズルカバー１００の内部でホースモジュール２００に連結され、フロントウィンドウに向けてウォッシャ液が噴射できるように複数の噴射口３１０がノズルカバー１００の外側に露出するように形成される。
【００１９】
すなわち、メインノズル３００は、ノズルカバー１００と同様に、「逆Ｌ」字形状を有して折り曲げ形成され、ウォッシャ液貯蔵タンクから供給されたウォッシャ液を外部に露出した噴射口３１０を介してフロントウィンドウに向けて飛散噴射されるように備えられる。
また、メインノズル３００の内部には、噴射口３１０上に滞留しているウォッシャ液の逆流防止のための別のチェックバルブ３５０が設けられ、それによって、噴射口３１０に移動するウォッシャ液の供給を選択的に遮断することができる。
ヒータモジュール４００は、噴射口３１０に向けて上下方向に熱を伝達するように設けられるものであって、冬季にメインノズル３００に沿って噴射口３１０に移動するウォッシャ液の結氷を防止することができる。
このようなヒータモジュール４００には、ヒータモジュール４００に連結された＋、−端子にウォッシャ液または雨水などのような流体の流入を防止できるように所定の大きさを有する水密カバー３３０ａが設けられてもよい。
【００２０】
以下、図３は、本発明の一実施形態に係るウォッシャ一体型ワイパ装置のメインノズルを示す図であり、図４は、ヒータモジュールを示す図である。
また、図５は、チェックバルブを示す図であり、図６は、水密カバーを示す図である。
図３に示すように、メインノズル３００は、噴射部３２０と、ヒータモジュール設置部３３０と、ウォッシャ液供給部３４０とを備える。
まず、噴射部３２０は、ノズルカバー１００の外側に露出するように配置され、露出した下部面には複数の噴射口３１０が備えられ、上部面にはヒーティング領域Ａが形成される。
【００２１】
すなわち、図４に示すように、噴射部３２０には、噴射口３１０と離隔するように上部面にヒーティング領域Ａが形成され、このようなヒーティング領域Ａの内部にヒータモジュール４００を設けることで、上下方向に沿って複数の噴射口３１０に熱を伝達することができ、それによって、噴射口３１０上でのウォッシャ液の結氷を防止することができる。
ヒータモジュール設置部３３０は、図５に示すように、ヒーティング領域Ａに設けられたヒータモジュール４００の設置経路をガイドし、噴射部３２０の設置方向を基準としてノズルカバー１００のバンディング方向と同一の方向にバンディングされて形成される。
このようなヒータモジュール設置部３３０には、端子ガイド溝（図示せず）が設けられてもよく、端子ガイド溝（図示せず）は、ヒータモジュール４００に連結された＋、−端子が内部に挿入できるようにすることで、図６に示す水密カバー３３０ａを介したヒータモジュール４００の水密性能を確保することができる。
【００２２】
一方、図５に示すように、ウォッシャ液供給部３４０は、ヒータモジュール設置部３３０の下部に配置され、一端部でホースモジュール２００と一体型に連結されて噴射口３１０に向けてウォッシャ液を供給する。
ここで、ウォッシャ液供給部３４０の内部には、ウォッシャ液の逆流防止のためのチェックバルブ３５０が設けられ、このようなチェックバルブ３５０は、噴射口３１０に移動するウォッシャ液の供給を選択的に遮断することができる。
つまり、チェックバルブ３５０は、ウォッシャ液供給部３４０の形状に応じて噴射口３１０の水平位置に対して所定の傾斜θを有して配置され、内部を通過するウォッシャ液がワイパブレード１の流動によって飛散するのを防止することができる。
より詳細に説明すれば、仮にチェックバルブ３５０がウォッシャ液供給部３４０の位置に応じて噴射口３１０と同一線上に配置されると、噴射後残ったウォッシャ液が噴射部３２０上に残ることになり、これは、ワイパブレード１の動作時、ウォッシャ液が噴射口３１０に乗って排出されて撒き散らされる原因となる。
【００２３】
結果的に、本実施形態に係るチェックバルブ３５０は、前記のようなウォッシャ液供給部３４０の形状に応じて所定の傾斜θを有して配置され、それによって、ウォッシャ液が傾斜θに沿って移動して噴射口３１０を介して排出されるようにすることで、フロントウィンドウに向けてウォッシャ液の噴射が容易に行われるようにできる。
また、本実施形態に係るチェックバルブ３５０は、噴射後残ったウォッシャ液が重力方向に沿って移動して所定の傾斜を有するウォッシャ液供給部３４０上に滞留できるようにすることで、ワイパブレード１の動作によるウォッシャ液の飛散を防止することができる。
以下、図７は、本発明の他の実施形態に係るウォッシャ一体型ワイパ装置のメインノズルの位置固定を示すための、図１のＩ−Ｉ’に対する断面図である。
図７に示すように、メインノズル３００は、ノズルカバー１００の内部に設けられた締結溝１００ａに対応するように突出部材３００ａを備える。
このような突出部材３００ａは、ノズルカバー１００の内部で流動が発生しないように締結溝１００ａに挿入結合されて位置固定できる。
【００２４】
本実施形態では、それぞれ１つの締結溝１００ａと突出部材３００ａとの結合によって、メインノズル３００は、ノズルカバー１００の内部で固定されるものとして説明したが、複数の締結溝１００ａおよびそれに対応する複数の突出部材３００ａが設けられて結合されてもよい。
結果的には、本実施形態に係るメインノズル３００は、ノズルカバー１００との結合のために、ノズルカバー１００の外部に別の締結部材（図示せず）を挿入するのではなく、ノズルカバー１００の内部で締結溝１００ａと突出部材３００ａとの結合を通じてメインノズル３００の固定が行われるようにできるため、締結領域が外部に露出することを最小化し、メインノズル３００の効果的な固定が行われるようにする。
【００２５】
本発明は、ウォッシャ噴射ノズルをワイパアームのリテーナのバンディング部に設けることで、ウインドガラスに噴射されるウォッシャ液をワイパブレードの作動領域内で適切に噴射できるようにする効果を有する。そして、本発明は、ウォッシャ液の噴射される噴射口と隣接した位置にヒータモジュールを設けることで、冬季にメインノズルに沿って噴射口に移動するウォッシャ液の結氷を防止できる効果を有する。
また、本発明は、ノズルカバーがリテーナのバンディング部の一側に設けられるに際して、段差が削除された構造を有するようにすることで、外観およびウインドノイズの発生を最小化できる効果を有する。
【００２６】
以上、本発明に関する好ましい実施例を説明したが、本発明は前記実施形態に限定されるものではなく、本発明の属する技術分野を逸脱しない範囲での全ての変更が含まれる。
【符号の説明】
【００２７】
１：ワイパブレード
１０：リテーナ
２０：バンディング部
１００：ノズルカバー
１００ａ：締結溝
２００：ホースモジュール
３００：メインノズル
３００ａ：突出部材
３１０：噴射口
３２０：噴射部
３３０：ヒータモジュール設置部
３３０ａ：水密カバー
３４０：ウォッシャ液供給部
３５０：チェックバルブ
４００：ヒータモジュール
Ａ：ヒーティング領域
【図１】
0006652892.tif 000002
【図２】
0006652892.tif 000003
【図３】
0006652892.tif 000004
【図４】
0006652892.tif 000005
【図５】
0006652892.tif 000006
【図６】
0006652892.tif 000007
【図７】
0006652892.tif 000008